(57)【要約】【課題】ＴＤＭＡ方式において、送信電流が異常であるか否かを正確に判定することができる電流検出器を提供する。【解決手段】規則的に２フレーム分のサンプリングを行い、２フレーム内の１６スロットの全てで送信電流Ｉを検出すると送信電流Ｉが異常であると判定し、１つのスロットでも送信電流Ｉを検出しなければ送信電流Ｉが正常であると判定し、またエラーの判定結果がＮ回連続して一致したときに該判定結果を確定する。これにより、ＴＤＭＡ方式における送信電流の異常の有無を正確に判定することができる。【選択図】図１
2010098601.tif 000002
【特許請求の範囲】
【請求項１】
送信用パワーアンプの送信電流を、フレームを構成する複数のスロットの各々について検出する電流検出手段と、
前記電流検出手段で検出された前記送信電流を少なくとも２フレーム分サンプリングして、当該少なくとも２フレームに含まれる前記送信電流のレベルに応じて該送信電流が異常であるか否かを判定するサンプリング手段と、
を備えた電流検出器。
【請求項２】
前記サンプリング手段による判定結果が所定の回数連続して一致したとき該判定結果を確定させる判定結果確定手段を備えた請求項１に記載の電流検出器。
【請求項３】
請求項１又は請求項２に記載の電流検出器を備えた携帯電話機。
【発明の詳細な説明】
【技術分野】
【０００１】
本発明は、ＴＤＭＡ（Time Division Multiple Access）方式の携帯電話機に用いて好適な電流検出器に関する。
【背景技術】
【０００２】
ディジタル携帯電話に使用されている無線通信方式の１つとしてＴＤＭＡ方式があり、このＴＤＭＡ方式では同じ周波数帯域を一定時間ごとに切り替えて複数の携帯電話機で共有している。例えば、ＴＤＭＡ方式の１つであるＧＳＭ（Global System for Mobile Communications）方式のフレームの長さは、４．６１５ｍｓｅｃで、８個のスロットから構成される。各ユーザに１個のスロットが割り当てられるので、１つのＧＳＭ搬送波を最大８人のユーザが共有できる。スロットの長さは５７６．９２３μｓｅｃである。
【０００３】
従来、ＴＤＭＡ無線信号を増幅するためのＲＦ増幅器として、所定時間間隔（所定スロット間隔）でＲＦ信号のレベルを監視し、それを評価する提案がある（例えば、特許文献１参照）。
【０００４】
【特許文献１】特開平７−０５８５６４号公報
【発明の開示】
【発明が解決しようとする課題】
【０００５】
ところで、従来のＧＳＭ方式における送信タイミングは、フレーム間でどのタイミングで、どのスロットが送信されるかが分らないシステムとなっている。このため、従来の定期的なサンプリング検出では送信用パワーアンプ（上述したＲＦ増幅器と同等のもの）の送信電流を検出して異常電流が流れていると判定してしまう虞がある。図４及び図５に示す動作波形を参照してその一例を説明する。図４及び図５において、（ａ）はＧＳＭ送信の例、（ｂ）は２スロット送信の例、（ｃ）はサンプリング周期の例、（ｄ）はエラー検出の例、（ｅ）はエラー検出判定の例を、それぞれ示している。
【０００６】
図４は、規則的に２スロット送信を行っている例で、２スロット送信の周期と送信用パワーアンプに流れる電流の検出を行うサンプリングが合うとエラー検出となる。この例では、全ての送信時にエラー検出が行われる。図５は、２スロット送信を不規則に行っている例で、２スロット送信ごとではないが、サンプリング周期と合うタイミングでエラー検出となる。このように、通常のスロット送信をしているにも関わらずサンプリングのタイミングが送信タイミングと合うとエラー検出されてしまう。
【０００７】
本発明は、係る事情に鑑みてなされたものであり、ＴＤＭＡ方式において、送信電流が異常であるか否かを正確に判定することができる電流検出器を提供することを目的とする。
【課題を解決するための手段】
【０００８】
本発明の電流検出器は、送信用パワーアンプの送信電流を、フレームを構成する複数のスロットの各々について検出する電流検出手段と、前記電流検出手段で検出された前記送信電流を少なくとも２フレーム分サンプリングして、当該少なくとも２フレームに含まれる前記送信電流のレベルに応じて該送信電流が異常であるか否かを判定するサンプリング手段と、を備える。
【０００９】
上記構成によれば、フレームを構成する複数のスロットの各々について送信用パワーアンプの送信電流を検出するとともに、送信電流を少なくとも２フレーム分サンプリングして、当該少なくとも２フレームに含まれる送信電流のレベルに応じて該送信電流が異常であるか否かを判定するので、ＴＤＭＡ方式において送信電流の異常を正確に判定することができる。
【００１０】
また、上記構成において、前記サンプリング手段による判定結果が所定の回数連続して一致したとき該判定結果を確定させる判定結果確定手段を備える。
【００１１】
上記構成によれば、判定結果が所定の回数連続して一致したときに該判定結果を確定するので、送信電流が異常であるか否かを更に正確に判定することができる。即ち、判定精度の向上が図れる。
【００１２】
本発明の携帯電話機は、上記電流検出器を備える。
【００１３】
上記構成によれば、ＴＤＭＡ方式の携帯電話機の送信電流の異常を正確に判定することが可能となり、送信電流の異常時に送信停止を行うなど、送信電流の異常による故障や事故を最小限に抑えることができる。
【発明の効果】
【００１４】
本発明は、フレームを構成する複数のスロットの各々について送信用パワーアンプの送信電流を検出するとともに、送信電流を少なくとも２フレーム分サンプリングして、当該少なくとも２フレームに含まれる送信電流のレベルに応じて該送信電流が異常であるか否かを判定するので、ＴＤＭＡ方式において送信電流の異常を正確に判定することができる。
【発明を実施するための最良の形態】
【００１５】
以下、本発明を実施するための好適な実施の形態について、図面を参照して詳細に説明する。
【００１６】
図１は、本発明の一実施の形態に係る電流検出器と該電流検出器を用いたＧＳＭ方式の携帯電話機の送信回路の概略構成を示すブロック図である。同図において、本実施の形態の電流検出器１０は、ＧＳＭ電流検出部１１と、サンプリング部１２と、Ｎ回一致部１３とを備えている。なお、ＧＳＭ電流検出部１１は電流検出手段に対応し、サンプリング部１２はサンプリング手段に対応する。
【００１７】
ＧＳＭ電流検出部１１は、フレームを構成する８個のスロットの各々について送信用パワーアンプを含むＧＳＭ送信部１００に流れ込む送信電流Ｉを検出し、送信電流Ｉを検出している間は出力レベルがＨｉ（ハイレベル）になり、それ以外のときはＬｏ（ローレベル）になる。即ち、ＧＳＭ電流検出部１１は、電流値が所定値以上であることを検出すると、出力電圧レベルをＨｉとし、所定値以下であることを検出すると、出力電圧レベルをＬｏとする。ＧＳＭ電流検出部１１には送信電流Ｉを抵抗１０１で電圧変換した電圧Ｖｉｎが印加され、ＧＳＭ電流検出部１１は、この電圧ＶｉｎからＧＳＭ送信部１００に流れる送信電流Ｉを検出する。なお、説明するまでもないが、抵抗１０１はＧＳＭ送信部１００とバッテリ１０２との間に介挿される。
【００１８】
サンプリング部１２は、規則的に２フレーム分のサンプリングを行い、当該２フレームに含まれる送信電流Ｉのレベルに応じて該送信電流が異常であるか否かを判定する。サンプリング部１２で使用されるサンプリング周波数は、２フレーム内の１６スロットのそれぞれにおける送信電流Ｉを検出できるように１．７３３ｋＨｚ以上の周波数となる。即ち、ＧＳＭの場合は１スロット時間を５７６．９２３μｓｅｃと規定しているので、その周波数の逆数でサンプリングの周波数が決まる。２フレーム分の時間は、１フレーム時間を４．６１５ｍｓｅｃと規定しているので、その２倍の９．２３ｍｓｅｃとなる。
【００１９】
サンプリング部１２は、２フレーム内の１６スロットの全てで送信電流Ｉを検出すると送信電流Ｉが異常であると判定し、１つのスロットでも送信電流Ｉを検出しなければ送信電流Ｉが正常であると判定する。即ち、２フレームに含まれる送信電流Ｉのレベルに応じて送信電流Ｉが異常であるか否かを判定する。送信電流Ｉのレベルが連続してＨｉである場合は２フレームの全期間で送信電流Ｉが流れたことになり、意味のある送信形態ではないと見なすことができ、送信電流Ｉが異常であると判定できる。これに対して、送信電流Ｉのレベルが連続してＨｉでない場合は２フレームの１６スロットのうち、少なくとも１つのスロットでは送信電流Ｉが流れていないことから、意味のある送信形態であると見なすことができ、送信電流Ｉが正常であると判定できる。
【００２０】
ここで、図２及び図３に示す動作波形を参照してサンプリング部１２の動作を説明する。図２及び図３において、（ａ）はＧＳＭ送信の例、（ｂ）は２スロット送信の例、（ｃ）はサンプリング周期の例、（ｄ）はエラー検出の例、（ｅ）はサンプリンググループ周期の例、（ｆ）はエラー検出判定の例を、それぞれ示している。図２は、規則的に２スロット送信を行っている例である。２フレーム分のサンプリングが規則的に行われ、各２フレームにおいて４個のスロットに対して送信電流Ｉが検出されている。即ち、エラーを４個検出している。この場合、２フレーム内で４個のスロットに対して送信電流Ｉを検出しても２フレームにおける全スロットに対応するものではないので、エラー検出としない。他方、図３は、規則的に２スロット送信を行い、途中で連続して送信状態になった例である。この図で最初にサンプリングを行った２フレームでは、該２フレーム内で１０個のスロットに対して送信電流Ｉを検出しても全スロットに対応するものではないのでエラー検出としないが、次にサンプリングを行った２フレームでは、全スロットに対して送信電流Ｉを検出しているので、エラー検出とする。このように２フレームにおける全スロットに対して送信電流Ｉを検出したときに初めてエラー検出とする。
【００２１】
但し、２フレーム内の全スロットに対して送信電流Ｉを検出した場合でも意味のある送信形態であると見なせる場合もあるので、判定結果がＮ回（所定の回数）連続して一致したときに該判定結果を確定するようにする。これにより、判定精度の向上が図れる。この確定をＮ回一致部１３が行う。即ち、Ｎ回一致部１３は、エラー検出がＮ回連続して一致したときに送信電流Ｉが異常と確定し、その時点で出力をＨｉレベルにする。
【００２２】
送信電流Ｉが異常であるとしてＮ回一致部１３の出力がＨｉレベルになると、ＯＲゲート１０３の出力がＨｉレベルになる。ＯＲゲート１０３の出力がＨｉレベルになるとスイッチ制御部１０４が抵抗１０１とＧＳＭ送信部１００との間に介挿されているスイッチ１０５を開状態にし、ＧＳＭ送信部１００を動作停止状態にする。ＯＲゲート１０３は入力端を多数有しており、Ｎ回一致部１３からの確定情報以外に、バッテリ電圧情報や温度情報等が入力される。バッテリ電圧情報は、バッテリ１０２の電圧が所定レベル以下になったときや電源アダプタ（図示略）が取り外されたときにＨｉレベルの信号としてＯＲゲート１０３に入力される。また、温度情報は、ＧＳＭ送信部１００の温度が所定レベル以上になったときにＨｉレベルの信号としてＯＲゲート１０３に入力される。ＯＲゲート１０３にＨｉレベルの信号が入力されることで、ＯＲゲート１０３の出力がＨｉレベルになる。
【００２３】
このように本実施の形態の電流検出器１０によれば、規則的に２フレーム分のサンプリングを行い、２フレーム内の１６スロットの全てで送信電流Ｉを検出すると送信電流Ｉが異常であると判定し、１つのスロットでも送信電流Ｉを検出しなければ送信電流Ｉが正常であると判定するので、ＧＳＭ方式における送信電流の異常の有無を正確に判定することができる。
【００２４】
また、エラーの判定結果がＮ回連続して一致したときに該判定結果を確定するようにすることで、判定精度の向上が図れる。そして、この電流検出器をＧＳＭ方式の携帯電話機に用いることで、該携帯電話機における送信電流の異常を正確に判定することが可能となり、送信電流の異常時に送信停止を行うなど、送信電流の異常による故障や事故を最小限に抑えることができる。
【００２５】
なお、本実施の形態は、ＧＳＭ方式に従い、１フレームが８スロットで構成された場合であったが、１フレームを構成するスロット数が「８」でなくてもＴＤＭＡ方式であれば実施することが可能である。
【産業上の利用可能性】
【００２６】
本発明は、送信電流が異常であるか否かを正確に判定することができるといった効果を有し、ＴＤＭＡ方式の携帯電話機などへの適用が可能である。
【図面の簡単な説明】
【００２７】
【図１】本発明の一実施の形態に係る電流検出器と該電流検出器を用いたＧＳＭ方式の携帯電話機の送信回路の概略構成を示すブロック図
【図２】図１の電流検出器のサンプリング部の動作を説明するための図
【図３】図１の電流検出器のサンプリング部の動作を説明するための図
【図４】従来のＧＳＭ方式における問題点を説明するための図
【図５】従来のＧＳＭ方式における問題点を説明するための図
【符号の説明】
【００２８】
１０  電流検出器
１１  ＧＳＭ電流検出部
１２  サンプリング部
１３  Ｎ回一致部
１００  ＧＳＭ送信部
１０１  抵抗
１０２  バッテリ
１０３  ＯＲゲート
１０４  スイッチ制御部
１０５  スイッチ
【図１】
2010098601.tif 000003
【図２】
2010098601.tif 000004
【図３】
2010098601.tif 000005
【図４】
2010098601.tif 000006
【図５】
2010098601.tif 000007